(57)【要約】【課題】  より少ない操作でノードごとに管理対象となるパラメータのリストを管理するネットワークシステムを提供する。【解決手段】  本発明は、ノードとノード管理装置を備えるネットワークシステムに関する。そして、本発明のノード管理装置は、ノードから管理対象となるパラメータのリストを取得して保持する手段と、ノードごとに保持しているパラメータのリストの各パラメータ値を収集する手段とを有することを特徴とする。また、本発明のノードは、管理対象となるパラメータのリストを記憶する手段と、記憶されているパラメータのリストを、ノード管理装置に提供する手段と、パラメータごとのパラメータ値を記憶する手段と、当該ノードの状態に応じてパラメータ値を更新するパラメータ手段とを有することを特徴とする。【選択図】      図１
2015064774.tif 000002
【特許請求の範囲】
【請求項１】
１又は複数のノードのそれぞれから、当該ノードで管理対象となるパラメータのリストを取得して保持するパラメータリスト保持手段と、
それぞれの上記ノードについて、上記パラメータリスト保持手段が保持している当該ノードに対応するパラメータのリストの各パラメータ値を収集するパラメータ値収集手段と
を有することを特徴とするノード管理装置。
【請求項２】
上記パラメータリスト保持手段は、パラメータのリストが更新された上記ノードから、更新後のパラメータのリストを取得して、当該ノードに対応するパラメータのリストを更新後のパラメータのリストに置き換えて保持することを特徴とする請求項１に記載のノード管理装置。
【請求項３】
それぞれの上記ノードについて、パラメータのリストのうち、上記パラメータ値収集手段でパラメータ値の収集を継続するパラメータと、パラメータ値の収集を停止するパラメータとを分類して管理する収集設定管理手段をさらに有することを特徴とするノード管理装置。
【請求項４】
コンピュータを、
１又は複数のノードのそれぞれから、当該ノードで管理対象となるパラメータのリストを取得して保持するパラメータリスト保持手段と、
それぞれの上記ノードについて、上記パラメータリスト保持手段が保持している当該ノードに対応するパラメータのリストの各パラメータ値を収集するパラメータ値収集手段と
して機能させることを特徴とするノード管理プログラム。
【請求項５】
当該ノードの管理対象となるパラメータのリストを記憶するパラメータリスト記憶手段と、
上記パラメータリスト記憶手段に記憶されているパラメータのリストを、外部のノード管理装置に提供するパラメータリスト提供手段と、
当該ノードに係るパラメータごとのパラメータ値を記憶するパラメータ記憶手段と、
当該ノードの状態に応じて上記パラメータ記憶手段が記憶している各パラメータのパラメータ値を更新するパラメータ値更新手段と
を有することを特徴とするノード。
【請求項６】
ノードに搭載されたコンピュータを、
当該ノードの管理対象となるパラメータのリストを記憶するパラメータリスト記憶手段と、
上記パラメータリスト記憶手段に記憶されているパラメータのリストを、外部のノード管理装置に提供するパラメータリスト提供手段と、
当該ノードに係るパラメータごとのパラメータ値を記憶するパラメータ記憶手段と、
当該ノードの状態に応じて上記パラメータ記憶手段が記憶している各パラメータのパラメータ値を更新するパラメータ値更新手段と
して機能させることを特徴とするノード制御プログラム。
【請求項７】
１又は複数のノードと、それぞれの上記ノードを管理するノード管理装置とを備えるネットワーク管理装置において、
それぞれの上記ノードとして請求項４に記載のノードを適用し、
上記ノード管理装置として請求項１〜３のいずれかに記載のノード管理装置を適用したこと
を特徴とするネットワークシステム。
【発明の詳細な説明】
【技術分野】
【０００１】
本発明は、ノード管理装置及びノード管理プログラム、並びに、ノード及びノード管理プログラム、並びにネットワークシステムに関し、例えば、ＳＮＭＰ（Ｓｉｍｐｌｅ  Ｎｅｔｗｏｒｋ  Ｍａｎａｇｅｍｅｎｔ  Ｐｒｏｔｏｃｏｌ）及びＭＩＢ（Ｍａｎａｇｅｍｅｎｔ  ｉｎｆｏｒｍａｔｉｏｎ  ｂａｓｅ）を利用した監視システムに適用することができる。
【背景技術】
【０００２】
従来のネットワークノードからＳＮＭＰを用いてＭＩＢ値を収集し、各ネットワークノードのトラフィックを管理するトラフィック収集装置では、管理対象（収集対象）となるネットワークノードの情報と、その装置で取得対象となるＭＩＢ値のＯＩＤ（Ｏｂｊｅｃｔ  ＩＤ）を登録し、定期的に当該ネットワークノードのＭＩＢ値を参照して蓄積する（特許文献１、２参照）。
【先行技術文献】
【特許文献】
【０００３】
【特許文献１】特開２００７−２４３３７３号公報
【特許文献２】特開２０１１−２４９９１１号公報
【発明の概要】
【発明が解決しようとする課題】
【０００４】
しかしながら、従来のトラフィック収集装置で、トラフィック管理対象となるネットワークノードの管理対象のデータ項目（例えば、収集する必要のあるＭＩＢ値のＯＩＤ）の情報を取得する方法としては、例えば、ネットワークノード毎、又は、ネットワークノードの種別毎（機種毎）に登録する必要があった。
【０００５】
また、従来のトラフィック収集装置では、特許文献１、２の記載技術のように、トラフィック収集対象となるネットワークノードの収集対象のＯＩＤを予め選定して、オペレータの操作等により設定しておく必要があった。通常、トラフィック収集装置では、各種の負荷軽減（ネットワーク、各ネットワークノード、及び当該トラフィック収集装置）のために、必要最低限のＯＩＤのＭＩＢ値のみを収集することが望ましい。
【０００６】
以上のような問題点に鑑みて、より少ない操作でノードごとに管理対象となるパラメータのリスト（例えば、収集対象となるＯＩＤのリスト）を管理することができるノード管理装置及びノード管理プログラム、並びに、ノード及びノード管理プログラム、並びにネットワークシステムが望まれている。
【課題を解決するための手段】
【０００７】
第１の本発明のノード管理装置は、（１）１又は複数のノードのそれぞれから、当該ノードで管理対象となるパラメータのリストを取得して保持するパラメータリスト保持手段と、（２）それぞれの上記ノードについて、上記パラメータリスト保持手段が保持している当該ノードに対応するパラメータのリストの各パラメータ値を収集するパラメータ値収集手段とを有することを特徴とする。
【０００８】
第２の本発明のノード管理プログラムは、コンピュータを、（１）１又は複数のノードのそれぞれから、当該ノードで管理対象となるパラメータのリストを取得して保持するパラメータリスト保持手段と、（２）それぞれの上記ノードについて、上記パラメータリスト保持手段が保持している当該ノードに対応するパラメータのリストの各パラメータ値を収集するパラメータ値収集手段として機能させることを特徴とする。
【０００９】
第３の本発明のノードは、（１）当該ノードの管理対象となるパラメータのリストを記憶するパラメータリスト記憶手段と、（２）上記パラメータリスト記憶手段に記憶されているパラメータのリストを、外部のノード管理装置に提供するパラメータリスト提供手段と、（３）当該ノードに係るパラメータごとのパラメータ値を記憶するパラメータ記憶手段と、（４）当該ノードの状態に応じて上記パラメータ記憶手段が記憶している各パラメータのパラメータ値を更新するパラメータ値更新手段とを有することを特徴とする。
【００１０】
第４の本発明のノード制御プログラムは、ノードに搭載されたコンピュータを、（１）当該ノードの管理対象となるパラメータのリストを記憶するパラメータリスト記憶手段と、（２）上記パラメータリスト記憶手段に記憶されているパラメータのリストを、外部のノード管理装置に提供するパラメータリスト提供手段と、（３）当該ノードに係るパラメータごとのパラメータ値を記憶するパラメータ記憶手段と、（４）当該ノードの状態に応じて上記パラメータ記憶手段が記憶している各パラメータのパラメータ値を更新するパラメータ値更新手段として機能させることを特徴とする。
【００１１】
第５の本発明は、１又は複数のノードと、それぞれの上記ノードを管理するノード管理装置とを備えるネットワーク管理装置において、（１）それぞれの上記ノードとして第３の本発明のノードを適用し、（２）上記ノード管理装置として第１の本発明のノード管理装置を適用したことを特徴とする。
【発明の効果】
【００１２】
本発明によれば、より少ない操作でノードごとに管理対象となるパラメータのリストを管理するネットワークシステムを提供することができる。
【図面の簡単な説明】
【００１３】
【図１】実施形態に係るトラフィック管理装置の機能的構成について示したブロック図である。
【図２】実施形態に係るネットワークシステムの全体構成について示したブロック図である。
【図３】実施形態に係るノードの機能的構成について示したブロック図である。
【図４】実施形態に係るトラフィック収集装置に記憶されるノード管理情報の構成例について示した説明図である。
【図５】実施形態に係るトラフィック収集装置に記憶されるＭＩＢ値管理テーブルの構成例について示した説明図である。
【図６】実施形態に係るノードで管理されるＭＩＢ値記憶部で記憶されるデータの構成例について示した説明図である。
【図７】実施形態に係るネットワークシステムのトラフィック管理装置で、新たなノードが監視対象ノードとして追加される場合の動作の例について示したシーケンス図である。
【図８】実施形態に係るトラフィック管理装置で表示される監視対象ノード登録画面の構成例について示した説明図である。
【図９】実施形態に係るトラフィック収集装置に記憶されるＭＩＢ値管理テーブルの遷移の例について示した説明図である。
【図１０】実施形態に係るトラフィック収集装置に記憶されるノード管理情報の遷移の例について示した説明図である。
【図１１】実施形態に係るトラフィック管理装置で表示されるノード管理情報の設定確認画面の構成例について示した説明図である。
【図１２】実施形態に係るネットワークシステムにおいて、ノードで収集対象ＭＩＢリストの更新イベントが発生した場合の動作の例について示したシーケンス図である。
【図１３】実施形態に係るトラフィック管理装置で表示されるトラフィックデータの分析結果を表示する画面構成例について示した説明図である。
【発明を実施するための形態】
【００１４】
（Ａ）主たる実施形態
以下、本発明によるノード管理装置及びノード管理プログラム、並びに、ノード及びノード管理プログラム、並びにネットワークシステムの一実施形態を、図面を参照しながら詳述する。
【００１５】
（Ａ−１）実施形態の構成
図１は、この実施形態のネットワークシステム１の全体構成を示すブロック図である。
【００１６】
図１に示す通り、ネットワークシステム１には、トラフィック収集装置２、３つのノード３（３−１〜３−３）、及び保守端末４が配置され、相互にＩＰネットワークＮを介してＩＰ通信を行うことができる。なお、ネットワークシステム１に配置されるトラフィック収集装置２、及びノード３の数は限定されないものである。また、ネットワークシステム１において、保守端末４についても配置されていることは必須ではない。
【００１７】
各ノード３は、いわゆるネットワークノードであり、その機能や搭載されるアプリケーションに係る図示しない構成要素については限定されないものである。すなわち、各ノード３は、ＳＮＭＰのエージェントとして機能していれば、ネットワーク装置（例えば、ルータ、スイッチ等）であってもよいしサーバ（例えば、メール、ＷＥＢ等のアプリケーションがインストールされたサーバ）であってもよい。
【００１８】
保守端末４は、ネットワークＮ上の各装置を保守するオペレータが利用可能な端末（例えば、ＳＮＭＰのマネージャのソフトウェアがインストールされたＰＣ）である。保守端末４は、例えば、ネットワークＮの監視センタ等オペレータが常駐する場所に配置される。
【００１９】
トラフィック収集装置２は、各ノード３の状態（主として、性能や稼動状況に係る状態）に係るＭＩＢ値を収集して蓄積する装置である。すなわち、トラフィック収集装置２は、各ノード３から見た場合ＳＮＭＰのマネージャとして機能している。具体的には、この実施形態では、トラフィック収集装置２は、トラフィック量（性能管理）に係るＭＩＢ値（以下、「トラフィックデータ」とも呼ぶ）を収集するものとして説明する。なお、トラフィック収集装置２は、収集したトラフィックデータを処理（例えば、統計的処理等）する構成を別途備えるようにしてもよい。
【００２０】
次に、トラフィック収集装置２の内部構成について説明する。
【００２１】
トラフィック収集装置２は、ユーザインタフェース部２１、通信部２２、ＳＮＭＰ処理部２３、画面処理部２４、監視対象ノード管理部２５、ＭＩＢデータ収集部２６、及びＭＩＢデータ蓄積部２７を有している。
【００２２】
ユーザインタフェース部２１は、当該トラフィック収集装置２のオペレータとのユーザインタフェース機能を担っており、オペレータからの操作入力を受付けるための入力部２１１及び、オペレータへのデータ等の出力を行うための出力部２１２を有している。なお、ここでは、トラフィック収集装置２とユーザインタフェース部２１とは一体の装置であるものとして説明するが、別の端末（例えば、保守端末４等のリモート端末）をユーザインタフェース部２１として構築するようにしてもよい。
【００２３】
入力部２１１としては、例えば、キーボード、マウス、タッチパネル等のデバイスを適用することができる。
【００２４】
出力部２１２としては、例えば、ディスプレイ、プリンタ、データ記録媒体等の出力デバイス（例えば、ＨＤＤ、フラッシュメモリ、ＤＶＤレコーダ等のデバイス）を適用することができる。ここでは、出力部２１２としては、少なくともディスプレイを備え、オペレータに操作画面を表示可能な構成であるものとして説明する。
【００２５】
通信部２２は、ＩＰネットワークＮに接続して、他の通信装置と通信するためのネットワークインタフェースである。
【００２６】
ＳＮＭＰ処理部２３は、通信部２２を介して、他のＳＮＭＰに対応したノード３とＳＮＭＰ通信を行い、ＭＩＢ値等の授受を行う機能を担っている。
【００２７】
監視対象ノード管理部２５は、トラフィック収集装置２で収集対象（管理対象）となるノード３の情報を管理するものであり、ノード管理情報記憶部２５１を有している。
【００２８】
監視対象ノード管理部２５は、ノード管理情報記憶部２５１にノード３ごとのノード管理情報の記憶しており、それらのノード管理情報の管理を行う。
【００２９】
監視対象ノード管理部２５には、ノード３ごとに、図４に示すようなノード管理情報を記憶している。
【００３０】
図４に示すようにノード管理情報には、ノードＩＤ、ＩＰアドレス、ホスト名、コミュニティ名、及び収集対象ＭＩＢの項目の情報が含まれている。
【００３１】
ノードＩＤは、監視対象ノード管理部２５における当該ノード３の管理上の識別子である。監視対象ノード管理部２５では、それぞれのノード３に対してユニークなノードＩＤが付与される。
【００３２】
ＩＰアドレスは、当該ノード３のＩＰアドレスである。なお、ノード管理情報において、ＩＰアドレスは入力されない場合でも、監視対象ノード管理部２５が、ホスト名に基づく名前解決を、図示しないＤＮＳ（ドメインネームサーバ）に依頼して取得するようにしてもよい。
【００３３】
ホスト名は当該ノード３のホスト名である。なお、ノード管理情報において、ホスト名の項目については、オペレータからの入力がされない場合でも、監視対象ノード管理部２５が、ノード３からホスト名のＭＩＢ値を取得することにより設定するようにしてもよい。
【００３４】
コミュニティ名は、当該ノード３へＳＮＭＰを用いてアクセスする際のコミュニティ名（パスワード）である。この実施形態では書込みと読込で同じコミュニティ名を用いるものとして説明するが、ＭＩＢ値の書込みと読込で異なるコミュニティ名を設定するようにしてもよい。
【００３５】
収集対象ＭＩＢの項目は、当該ノード３について収集可能なＭＩＢのＯＩＤと、各ＯＩＤに対する設定値を表している。
【００３６】
具体的には、収集対象ＭＩＢの項目には、図２に示すように、当該ノード３について収集対象となるＭＩＢのＯＩＤ（以下、「収集対象ＯＩＤ」と呼ぶ）ごとに、収集設定及び項目名の情報が登録されたテーブル（以下、このテーブルを「収集対象ＭＩＢ管理テーブル」と呼ぶ）が登録されている。
【００３７】
「収集設定」の項目は、当該ＯＩＤのＭＩＢ値について、定期的に収集（Ｇｅｔ）するか否かを示している。収集対象ＭＩＢ管理テーブルにおいて、収集設定の項目には、当該当該ＯＩＤのＭＩＢ値について収集することを示す「収集中」、又は当該ＯＩＤのＭＩＢ値について収集を停止していることを示す「収集停止中」のいずれかの値が設定される。なお、収集対象ＭＩＢ管理テーブルにおいて、各収集対象ＯＩＤのＭＩＢ値について収集する間隔（Ｉｎｔｅｒｖａｌ）についても変更可能とするようにしてもよいが、この実施形態では、全てのＯＩＤについて同じ値（例えば、５分）が設定されるものとして説明する。
【００３８】
「ラベル」の項目は当該ＯＩＤのＭＩＢ値について、オペレータが認識を容易とするためのラベルである。図２では、説明を簡易とするため、ラベルの項目にはＯＩＤの順序で、トラフィック１、トラフィック２、…、といった内容を設定しているが、ラベルに設定される具体的な内容について限定されないものである。
【００３９】
監視対象ノード管理部２５は、ノード管理情報のうち、少なくとも、収集対象ＭＩＢ管理テーブルの収集対応ＯＩＤの項目について、対応するノード３から取得するものとする。
【００４０】
ＭＩＢデータ収集部２６は、ノード管理情報記憶部２５１に記憶されているノード管理情報に従って、ノード３に対してＭＩＢ値の収集を実行（ＳＮＭＰ処理部２３を介したｓｎｍｐｇｅｔコマンドを実行）する。
【００４１】
ＭＩＢデータ蓄積部２７は、ＭＩＢデータ収集部２６が収集したＭＩＢ値を蓄積記憶するものである。
【００４２】
ＭＩＢデータ蓄積部２７は、例えば、ノード管理情報記憶部２５１で管理されるノードＩＤとＯＩＤの組合せごとに、各収集時刻のＭＩＢ値を蓄積する。
【００４３】
この実施形態では、ＭＩＢデータ蓄積部２７は、ノードＩＤとＯＩＤの組合せごとに図３に示すようなテーブル（以下では「収集ＭＩＢ値管理テーブル」と呼ぶ）を記憶するものとして説明する。収集ＭＩＢ値管理テーブルには、図３に示すように、当該ノードＩＤのノード３から収集した当該ＯＩＤのＭＩＢ値について、収集時刻と対応付けて記憶されている。
【００４４】
図３の例では、ノードＩＤ＝３、ＯＩＤ＝．１．３．６．１．４．１．６６６．１００．１０．３６．２０６１、ラベル＝トラフィック３の各ＭＩＢ値について、収集時刻と共に記憶されている。
【００４５】
次に、各ノード３の内部構成について説明する。
【００４６】
各ノード３は、少なくとも、通信部３１、ＳＮＭＰ処理部３２、ＭＩＢ管理処理部３３、及びＭＩＢ値記憶部３４を有している。
【００４７】
ノード３において、ＳＮＭＰ処理部３２、ＭＩＢ管理処理部３３、及びＭＩＢ値記憶部３４については、例えば、図示しないコンピュータに実施形態のノード制御プログラムをインストールすることにより実現するようにしてもよい。言い換えると、実施形態のノード制御プログラムには、機能的に、ＳＮＭＰ処理部３２、ＭＩＢ管理処理部３３、及びＭＩＢ値記憶部３４の機能に対応するプログラムが含まれている。
【００４８】
通信部３１は、ＩＰネットワークＮに接続して、他の通信装置と通信するためのネットワークインタフェースである。
【００４９】
ＭＩＢ値記憶部３４は、当該ノード３に係る各ＯＩＤのＭＩＢ値を記憶する記憶手段である。
【００５０】
ＳＮＭＰ処理部３２は、通信部３１を介して、他のＳＮＭＰに対応した通信装置とＳＮＭＰ通信を行い、ＭＩＢ値等の授受を行う機能を担っている。ＳＮＭＰ処理部３２は、他の通信装置にＭＩＢ値を送信する場合、そのＭＩＢ値を、ＭＩＢ値記憶部３４から取得する。
【００５１】
ＭＩＢ管理処理部３３は、当該ノード３の状態（例えば、通信部３１で処理されるトラフィック量等）に応じて、ＭＩＢ値記憶部３４の各ＭＩＢ値を更新する処理を行うものである。
【００５２】
次に、ＭＩＢ値記憶部３４に記憶されるデータについて図６を用いて説明する。
【００５３】
図６では、テーブル形式でＭＩＢ値記憶部３４に記憶されるデータの構成例を示しているが、具体的なデータ構造についてテーブル形式に限定されないものである。
【００５４】
なお、以下では説明の都合上、図６に示すテーブルを「ＭＩＢ値管理テーブル」と呼ぶものとする。
【００５５】
図６に示すように、ＭＩＢ値管理テーブルには、ＯＩＤと、当該ＯＩＤの現在のＭＩＢ値が対応付けて登録されている。ＭＩＢ値管理テーブルのＭＩＢ値のうち、動的に更新される値については、ＭＩＢ管理処理部３３により逐次更新される。
【００５６】
ＭＩＢ値管理テーブルに設定されるＯＩＤについては、例えば、当該ノード３のファームウェア（例えば、実施形態のノード制御プログラムを含むプログラム）の更新に伴って、変化する場合がある。
【００５７】
そして、ＭＩＢ管理処理部３３は、ＭＩＢ値管理テーブルに設定されるＯＩＤに変化があった場合（例えば、当該ノード３のファームウェアが更新された場合）に、トラフィック収集装置２へ、現時点で当該ノード３について収集対象とすべきＭＩＢ値のＯＩＤの一覧（以下、「収集対象ＭＩＢリスト」と呼ぶ）を提供（送信）する。
【００５８】
ノード３において、最新の収集対象ＭＩＢリストを保持する構成については限定されないものとするが、この実施形態では、ノード３は、ＭＩＢ値の１つとして、収集対象ＭＩＢリストのデータを保持しているものとして説明する。また、各ノード３において、収集対象ＭＩＢリストに含まれるＯＩＤの組合せについては限定されないものであり、当該ノード３の仕様に応じて予め設定されるものとしてもよい。
【００５９】
例えば、図６に示すＭＩＢ値管理テーブルでは、ＯＩＤ＝「．１．３．６．１．４．１．６６６．１００．１０．３６．１００」のＭＩＢ値が、収集対象ＭＩＢリストを構成している。図６では、収集対象ＭＩＢリストに５つのＯＩＤが設定されている。
【００６０】
（Ａ−２）実施形態の動作
次に、以上のような構成を有するこの実施形態のネットワークシステム１の動作を説明する。
【００６１】
以下では、例として、トラフィック収集装置２とノード３−３との間の処理について説明する。
【００６２】
まず、図７のフローチャートを用いて、トラフィック収集装置２で、ノード３−３を監視対象ノード（トラフィック収集対象のノード）として登録する動作について説明する。
【００６３】
なお、ここでは、既に、ノード３−１（ＩＰアドレス：１．１．１．１、ホスト名：ＨｏｓｔＡ）、及びノード３−２（ＩＰアドレス：２．２．２．２、ホスト名：ＨｏｓｔＢ）については、監視対象ノード管理部２５において監視対象ノード（トラフィック収集対象のノード）として追加されているものとする。
【００６４】
最初に、トラフィック収集装置２において、オペレータの操作により、新たな監視対象ノードとしてノード３−３（ＩＰアドレス：３．３．３．３、ホスト名：ＨｏｓｔＣ）の追加登録が受付けられ、ノード３−３を監視対象ノードとして追加登録する処理を開始したものとする（Ｓ１０１）。
【００６５】
トラフィック収集装置２で、監視対象ノードの追加登録を受付ける具体的構成については限定されないものであるが、例えば、画面処理部２４により、ユーザインタフェース部２１から監視対象ノードの追加登録を受付けるための操作画面（以下、「監視対象ノード登録画面」と呼ぶ）を表示して受付けるようにしてもよい。
【００６６】
図８は、トラフィック収集装置２が表示する監視対象ノード登録画面の構成例について示した説明図である。
【００６７】
図８では、新たに監視対象ノードとして登録するノードの情報（図８では、ＩＰアドレス、ホスト名、コミュニティ名）を入力するためのフィールドＦ１１、既に監視対象ノード管理部２５（ノード管理情報記憶部２５１）に登録されているノードの情報（図８では、ＩＰアドレス、ホスト名、コミュニティ名）を出力するためのフィールドＦ１２、及び、フィールドＦ１１に入力された情報のノードの追加受付けを行うためのボタンＢ１１が配置されている。
【００６８】
図８では、フィールドＦ１１に、ノード３−３の情報（ＩＰアドレス：３．３．３．３、ホスト名：ＨｏｓｔＣ、コミュニティ名：ｃｃｃ）が入力された状態について示しており、この状態でボタンＢ１１が押下されると、トラフィック収集装置２はノード３−３を監視対象ノードとして追加登録する処理を開始する。
【００６９】
次に、トラフィック収集装置２（監視対象ノード管理部２５）は、監視対象ノード登録画面で入力されたＩＰアドレスを用いて、ノード３−３に対して、収集対象ＭＩＢリストの送信要求を行う（Ｓ１０２）。
【００７０】
そして、ノード３−３は、収集対象ＭＩＢリストの送信要求を受信すると、ＭＩＢ値記憶部３４から収集対象ＭＩＢリスト（所定のＯＩＤのＭＩＢ値）を取得して、トラフィック収集装置２（監視対象ノード管理部２５）に返答する（Ｓ１０３）。
【００７１】
図９は、ステップＳ１０３の時点で、ノード３−３のＭＩＢ値記憶部３４に記憶された収集ＭＩＢ値管理テーブルについて示した説明図である。
【００７２】
図９に示すノード３−３のＭＩＢ値管理テーブルでは、「．１．３．６．１．４．１．６６６．１００．１０．３６．１００」のＯＩＤに対応するＭＩＢ値が、収集対象ＭＩＢリストとなっている。そして、図９に示すように、ノード３−３の収集対象ＭＩＢリスト「．１．３．６．１．４．１．６６６．１００．１０．３６．１００」のＯＩＤに対応するＭＩＢ値）として３つのＯＩＤが登録されている。したがって、ステップＳ１０３で、ノード３−３は、この３つのＯＩＤを、収集対象ＭＩＢリストとしてトラフィック収集装置２に送信する。
【００７３】
ステップＳ１０２、Ｓ１０３でトラフィック収集装置２がノード３−３から収集対象ＭＩＢリストを取得するシーケンスの具体的構成については限定されないものであるが、例えば、所定のポート番号（ＴＣＰ又はＵＤＰのポート番号）を用いたメッセージ（電文）の授受により実現するようにしてもよいし、トラフィック収集装置２からＳＮＭＰを用いたＭＩＢ値収集（例えば、収集対象ＭＩＢリストに対応するＯＩＤを指定してｓｎｍｐ  ｇｅｔを行う）により実現するようにしてもよい。
【００７４】
そして、トラフィック収集装置２では、監視対象ノード管理部２５により、新たにノード３−３のノード管理情報が生成され、ノード管理情報記憶部２５１に追加登録される（Ｓ１０４）。
【００７５】
監視対象ノード管理部２５は、ノード３−３から取得した収集対象ＭＩＢリストと、監視対象ノード登録画面で入力された情報に基づいて、ノード３−３のノード管理情報を生成する。
【００７６】
図１０は、ステップＳ１０４の時点で登録されるノード３−３のノード管理情報の構成例につい示した説明図である。
【００７７】
図１０に示すように、この時点では、ノード３−３のノード管理情報のうち、収集対象ＭＩＢとして設定するＭＩＢ値管理テーブルには、３つの収集対象ＯＩＤ（トラフィック収集装置２が取得した収集対象ＭＩＢリストのＯＩＤ）が登録されている。
【００７８】
そして、トラフィック収集装置２（監視対象ノード管理部２５）は、ノード３−３が監視対象ノードとして加わったことを所定の方法により出力する（Ｓ１０５）。
【００７９】
トラフィック収集装置２（監視対象ノード管理部２５）が、監視対象ノードを追加したことを出力することは必須ではなく、また、出力する方式も限定されないものである。ここでは、トラフィック収集装置２（監視対象ノード管理部２５、ＳＮＭＰ処理部２３）は、ＳＮＭＰのｓｎｍｐｔｒａｐコマンドを用いて、保守端末４にノード３−３が監視対象ノードとして加わったことの通知（例えば、ＩＰアドレス、ホスト名等を含む所定のメッセージ送信）を行ったものとする。
【００８０】
次に、トラフィック収集装置２（画面処理部２４、監視対象ノード管理部２５）は、ノード３−３のノード管理情報に係る設定確認をオペレータから受付ける処理を行い、オペレータの操作に応じて、ノード管理情報記憶部２５１に記憶されたノード３−３のノード管理情報を更新する（Ｓ１０６）。
【００８１】
具体的には、トラフィック収集装置２（画面処理部２４、監視対象ノード管理部２５）は、ノード３−３のノード管理情報のうち、ＭＩＢ値管理テーブルの収集設定（収集対象ＯＩＤごとの収集設定）について、図１１の操作画面を用いてオペレータから変更を受付ける。
【００８２】
図１１の操作画面では、ノード３−３のノード管理情報のうちＩＰアドレス、ホスト名、コミュニティ名を表示するためのフィールドＦ２１、ノード３−３のノード管理情報のうちＭＩＢ値管理テーブルを表示すると共に収集設定（収集対象ＯＩＤごとの収集設定）についてオペレータからの変更を受付けることができるフィールドＦ２２と、フィールドＦ２２に表示された内容で収集設定（収集対象ＯＩＤごとの収集設定）の更新を実行するための確認ボタンＢ２１が配置されている。フィールドＦ２２では、収集対象ＯＩＤごとに収集設定を「収集中」又は「収集停止中」のいずれかに変更（例えば、マウスカーソルのクリック等により変更）可能であるものとする。そして、監視対象ノード管理部２５は、フィールドＦ２２に表示された収集対象ＯＩＤごとの収集設定に基づいて、ノード管理情報記憶部２５１に記憶されたノード３−３のノード管理情報を更新する。
【００８３】
次に、ノード３−３で、収集対象ＭＩＢリストが更新された場合の動作について図１２のフローチャートを用いて説明する。
【００８４】
まず、ノード３−３で、収集対象ＭＩＢの更新イベントが発生したものとする（Ｓ２０１）。収集対象ＭＩＢの更新イベントの発生要件については限定されないものであるが、例えば、ノード３で、ファームウェアの更新等が挙げられる。
【００８５】
そして、ノード３−３のＭＩＢ管理処理部３３により、収集対象ＭＩＢの更新イベントが発生したことが、トラフィック収集装置２に通知されたものとする（Ｓ２０３）。
【００８６】
なお、ノード３−３から、トラフィック収集装置２に、収集対象ＭＩＢの更新イベントが発生したことを通知する具体的な構成については限定されないものであるが、例えば、所定のポート番号（ＴＣＰ又はＵＤＰのポート番号）を用いたメッセージ（電文）の授受により実現するようにしてもよい。また、ノード３−３が、収集対象ＭＩＢの更新イベント発生を通知する先としてトラフィック収集装置２にアクセスするためのＩＰアドレス等を保持する構成についても限定されないものであり、例えば、ＳＮＭＰ処理部３２の設定（例えば、ｓｎｍｐｔｒａｐの送信先の設定等）から取得するようにしてもよい。
【００８７】
また、ステップＳ２０３の時点で、ノード３−３のＭＩＢ値記憶部３４に記憶されている収集ＭＩＢ値管理テーブルは、上述の図６の内容となっているものとする。
【００８８】
図６に示すノード３−３のＭＩＢ値管理テーブルでは、「．１．３．６．１．４．１．６６６．１００．１０．３６．１００」のＯＩＤに対応するＭＩＢ値が、収集対象ＭＩＢリストとなっている。そして、図６に示すように、ノード３−３の収集対象ＭＩＢリストのＯＩＤ「．１．３．６．１．４．１．６６６．１００．１０．３６．１００」に対応するＭＩＢ値として５つのＯＩＤが登録されている。すなわち、この時点で、ノード３−３では、収集対象ＭＩＢリストのＯＩＤが２つ追加されている。
【００８９】
そして、ノード３−３から収集対象ＭＩＢの更新イベントが発生したことが通知されると、トラフィック収集装置２（監視対象ノード管理部２５）は、ノード３−３から、最新の収集対象ＭＩＢリストを取得する（Ｓ２０３、Ｓ２０４）。
【００９０】
なお、ステップＳ２０３、２０４の処理は上述のステップＳ１０２、１０３の処理と同様であるので詳しい説明を省略する。
【００９１】
そして、ラフィック収集装置２（監視対象ノード管理部２５）は、ノード３−３から取得した収集対象ＭＩＢリストと、ノード管理情報記憶部２５１に記憶されているノード３−３の収集対象ＭＩＢ管理テーブルの内容（収集対象ＯＩＤの一覧）とを比較し（Ｓ２０５）、差分の有無を確認する（Ｓ２０６）。
【００９２】
そして、ラフィック収集装置２（監視対象ノード管理部２５）は、上述のステップＳ２０６で差分が発生していると判断した場合に、ノード管理情報記憶部２５１に記憶されているノード３−３の収集対象ＭＩＢ管理テーブルの内容（収集対象ＯＩＤの一覧）を、最新の収集対象ＭＩＢリストに基づいて更新し（Ｓ２０７）、ノード３−３で収集対象ＭＩＢの変更があったことを所定の方法により出力する（Ｓ２０８）。
【００９３】
なお、ステップＳ２０８における出力方法は、上述のステップＳ１０５（例えば、保守端末４へのｓｎｍｐｔｒａｐ送信）と同様の処理を適用することができるため、詳しい説明を省略する。
【００９４】
なお、ステップＳ２０８の時点で登録されるノード３−３のノード管理情報は、上述の図４の内容となる。図４に示すように、この時点では、ノード３−３のノード管理情報のうち、収集対象ＭＩＢとして設定するＭＩＢ値管理テーブルには、５つの収集対象ＯＩＤ（トラフィック収集装置２が取得した収集対象ＭＩＢリストのＯＩＤ）が登録されており、更新前と比較して２つのＯＩＤが追加された状態となっている。
【００９５】
（Ａ−３）実施形態の効果
この実施形態によれば、以下のような効果を奏することができる。
【００９６】
トラフィック収集装置２では、ノード３から収集対象ＭＩＢリストを取得してノード管理情報を生成するので、ノード３ごとに個別に収集対象ＭＩＢリストを設定したり更新したりする必要がないため、より少ない操作で収集対象ＭＩＢリストを管理することができる。
【００９７】
特に、トラフィック収集装置２では、ノード３で、収集対象ＭＩＢの更新イベント（例えば、ファームウェアの更新等）があった場合に、ノード３からの通知に基づいて、収集対象ＭＩＢリストを更新しているので、特にオペレータによる操作を必須とせずに、常に最新の収集対象ＭＩＢリストに基づくトラフィックデータの収集を行うことができる。
【００９８】
また、トラフィック収集装置２では、ノード３を監視対象ノードとして登録等行うときに、収集対象ＯＩＤごとに収集設定（収集中、又は、収集停止中）を選択するだけで、収集対象ＭＩＢリストのうち実際に収集必要なもののみを収集対象とすることができるため、トラフィック収集装置２を設定するオペレータの操作量を低減することができる。
【００９９】
（Ｂ）他の実施形態
本発明は、上記の実施形態に限定されるものではなく、以下に例示するような変形実施形態も挙げることができる。
【０１００】
（Ｂ−１）上記の実施形態では、ＳＮＭＰ及びＭＩＢを適用した例について説明したが、ノードに係る管理情報を取得収集するものであれば、通信に適用するプロトコル及び管理情報は、ＳＮＭＰ及びＭＩＢに限定されないものである。
【０１０１】
また、上記の実施形態では、トラフィック収集装置２はトラフィック等のノード３のパフォーマンス（性能）に係るＭＩＢ値（パラメータ値）を収集する装置として説明したが、本発明のノード管理装置が収集するＭＩＢ値の種類は限定されないものである。
【０１０２】
（Ｂ−２）上記の実施形態では、説明を簡易とするため、ＯＩＤにインスタンス名を付与したＭＩＢ値収集は行われないものとして説明している。例えば、ノード３が、複数のインタフェースを備える場合、ノード３側では、同じＯＩＤのＭＩＢ値についてインタフェースごとに取得するため、ＯＩＤに各インタフェースに対応するインスタンス名を付与して識別する必要がある。この場合トラフィック収集装置２及びノード３において、収集対象ＭＩＢリストとして、ＯＩＤにインスタンス名を付加したパラメータ（例えば、「ＯＩＤ＋インスタンス名」のように表示されるパラメータ）のそれぞれを、収集対象ＭＩＢリストの構成要素として管理する必要がある。
【０１０３】
（Ｂ−３）上記の実施形態において、トラフィック収集装置２で、ＭＩＢデータ蓄積部２７に蓄積したトラフィックデータについて処理（例えば、統計処理）した結果を、図１３のように表示する画面を出力するようにしてもよい。
【０１０４】
図１３では、トラフィックデータの収集元のノードの情報（ＩＰアドレス、ホスト名等）を表示するとフィールドＦ３１、当該ノードから収集したＭＩＢ値の一覧を表示するフィールドＦ３２と、フィールドＦ３２に表示したＭＩＢ値を時系列ごとの折れ線グラフで表示するフィールドＦ３３が配置されている。
【符号の説明】
【０１０５】
１…ネットワークシステム、２…トラフィック収集装置、２５…監視対象ノード管理部、２１…ユーザインタフェース部、２１１…入力部、２１２…出力部、２２…通信部、２３…ＳＮＭＰ処理部、２４…画面処理部、２５…監視対象ノード管理部、２５１…ノード管理情報記憶部、２６…ＭＩＢデータ収集部、２７…ＭＩＢデータ蓄積部、３、３−１〜３−３…ノード、３１…通信部、３２…ＳＮＭＰ処理部、３３…ＭＩＢ管理処理部、３４…ＭＩＢ値記憶部、４…保守端末、Ｎ…ＩＰネットワーク。
【図１】
2015064774.tif 000003
【図２】
2015064774.tif 000004
【図３】
2015064774.tif 000005
【図４】
2015064774.tif 000006
【図５】
2015064774.tif 000007
【図６】
2015064774.tif 000008
【図７】
2015064774.tif 000009
【図８】
2015064774.tif 000010
【図９】
2015064774.tif 000011
【図１０】
2015064774.tif 000012
【図１１】
2015064774.tif 000013
【図１２】
2015064774.tif 000014
【図１３】
2015064774.tif 000015